(57)【要約】      （修正有）【課題】展示、または室内照明に適した照明灯具の光学レンズとその台座を提供する。【解決手段】照明灯具の光学レンズは、レンズを備え、台座２に組み立てた後、ＬＥＤ光源と結合して、照明灯具を形成する。レンズ本体１は、レンズ本体の上部に設ける平面部１１と、レンズ本体の底部に設ける投射円錐体１２とを備える。投射円錐体の中心部は、ＬＥＤ光源３を収容する収容空間１２１を有し、投射円錐体の外曲面は、同心円を構成する複数の曲面点からなる。この構造を利用すれば、ＬＥＤ光源の発光角度、光度分布および照度分布を調節し、照明効果がより集中し、展示または屋内照明に適用できるほか、省エネ、カーボン低減、環境保護対策の優位性を有する。【選択図】図１
0003172217.tif 000002
【実用新案登録請求の範囲】
【請求項１】
照明灯具の光学レンズであって、レンズ本体を有し、台座に組み立てた後、ＬＥＤ光源と結合して、照明灯具を形成する、前記レンズ本体は、
前記レンズ本体の上部に取り付ける、平面部と、
前記レンズ本体の底部に設ける、投射円錐体と、を備える、
前記投射円錐体の中心部は、
ＬＥＤ光源を収容するための収容空間を有し、投射円錐体の外曲面は、同心円上に設けられた複数の曲面点からなる、前記収容空間の開口部の円心を通過する開口面上の一直線は、前記レンズ本体の中心線と基準面を形成していて、前記直線がＸ軸、中心線がＹ軸、ｄが単位座標の長さ、ＸとＹ軸が交差する場所が座標原点であり、前記曲面点からＸ、Ｙ軸までの距離は、ゼロより大きいかまたは等しい、それぞれ相対誤差ｐを有し、かつ−ｄ／２０≦ｐ≦ｄ／２０である。
【請求項２】
前記曲面点はＸ−Ｙ座標の平面において、各点（２．００，  ０）、（２．８２，  ０．８２）、（３．５４，  １．８４）、（４．０３，  ２．６３）、（４．６３，  ３．６９）と（５．２１，  ５．２０）を有し、単位座標の長さｄは１ｍｍであり、相対誤差ｐは−０．０５ｍｍ≦ｐ≦０．０５ｍｍであることを特徴とする、請求項１記載の照明灯具の光学レンズ。
【請求項３】
前記平面部が前記収容空間に対応する位置は、穴部を設けていて、かつ前記穴部に透光性膠質が充填されていることを特徴とする、請求項２記載の照明灯具の光学レンズ。
【請求項４】
前記曲面点はＸ−Ｙ座標の平面において、各点（２．１０，  ０）、（２．７０，  １．４２）、（３．３４，  ２．３７）、（３．９６，  ３．３５）、（４．５７，  ４．２３）と（５．１４，  ５．１３）を有し、単位座標の長さｄは１ｍｍであり、相対誤差ｐは−０．０５ｍｍ≦ｐ≦０．０５ｍｍであることを特徴とする、請求項１記載の照明灯具の光学レンズ。
【請求項５】
前記収容空間はさらに、レンズ部を有することを特徴とする、請求項４記載の照明灯具の光学レンズ。
【請求項６】
前記曲面点はＸ−Ｙ座標の平面において、各点（１．８０，  ０）、（２．４９，  １．３５）、（３．０９，  ２．２２）、（３．７０，  ３．０７）、（４．２９，  ４．００）と（５．０５，  ５．１８）を有し、単位座標の長さｄは１ｍｍであり、相対誤差ｐは−０．０５ｍｍ≦ｐ≦０．０５ｍｍであることを特徴とする、請求項１記載の照明灯具の光学レンズ。
【請求項７】
前記収容空間はさらに、レンズ部を有することを特徴とする、請求項６記載の照明灯具の光学レンズ。
【請求項８】
前記曲面点はＸ−Ｙ座標の平面において、各点（１．７８，  ０）、（２．４０，  ０．６９）、（３．１２，  １．６６）、（３．５８，  ２．３８）、（４．０４，  ３．１０）、（４．６５，  ４．１５）と（５．２５，  ５．２０）を有し、単位座標の長さｄは１ｍｍであり、相対誤差ｐは−０．０５ｍｍ≦ｐ≦０．０５ｍｍであることを特徴とする、請求項１記載の照明灯具の光学レンズ。
【請求項９】
前記レンズ本体の周縁に設けられ、前記台座との嵌着固定に備える締め付け部を有することを特徴とする、請求項１ないし請求項８のいずれか記載の照明灯具の光学レンズ。
【請求項１０】
前記平面部はさらに、回折構造を有することを特徴とする、請求項１記載の照明灯具の光学レンズ。
【請求項１１】
前記回折構造は、凹凸の直線状を並列して設けられ、光線が長い棒状の拡散効果を形成することを特徴とする、請求項１０記載の照明灯具の光学レンズ。
【請求項１２】
前記回折構造は、複数の六角形の回折粒子を並列して設けられ、光線が染み広げる効果を形成することを特徴とする、請求項１０記載の照明灯具の光学レンズ。
【請求項１３】
前記平面部は、光線が染み広げる効果を形成するためのサンダー仕上げを施されていることを特徴とする、請求項１記載の照明灯具の光学レンズ。
【請求項１４】
請求項１記載の透明灯具の光学レンズの台座であって、
前記台座の周縁に設けていて、前記レンズ本体を嵌設するため複数の嵌着部を有し、前記投射円錐体は前記台座の内部に覆われる隔壁と、
前記台座に設けていて、かつ前記ＬＥＤ光源の位置に対応する光出射穴と、
それぞれ前記光出射穴の両側に設ける１対の取付穴と、
それぞれ前記光出射穴の両側に設けていて、かつ前記取付穴の位置と互いに垂直され、
開口部が前記隔壁に延在されている１対の放熱穴と、を備える。
【考案の詳細な説明】
【技術分野】
【０００１】
本考案は、照明灯具の分野に関し、特に展示用照明灯具または屋内照明灯具用の光学レンズ構造に関する。
【背景技術】
【０００２】
発光ダイオード（Ｌｉｇｈｔ  Ｅｍｉｔｔｉｎｇ  Ｄｉｏｄｅ，  ＬＥＤ）は、従来の光源に比べ、消費電力が低く、効率が高く、寿命が長いなどの長所を有する。同じ輝度で使用した場合、消費電力は、従来の白熱灯の１／１０、省エネ電球の１／２、さらにＬＥＤの使用寿命は、約１００倍と大幅に長い。よって、近年ＬＥＤは、表示装置のバックライトモジュール、指示灯の光源または一般照明装置などの分野へ幅広く使用されている。ＬＥＤの省電力は際立つ、優位性を有するため、実用性も向上されている。
【先行技術文献】
【特許文献】
【０００３】
【特許文献１】中華民国特許公告第Ｍ３６６０８３号
【特許文献２】中華民国特許公告第Ｍ３６６０３３号
【特許文献３】中華民国特許公告第Ｍ３６６６５０号
【特許文献４】中華民国特許公告第Ｍ３６８７６７号
【考案の概要】
【考案が解決しようとする課題】
【０００４】
しかし、従来の光源に比べ、発光ダイオードの照射角度は小さい。展示または屋内照明に使用する場合は、ＬＥＤの発光角度、光度分布および照度分布を調節し、光線を集中させ、かつ光線の強度を有効に向上必要があるため、各種の集中ＬＥＤ照明色の光学レンズが開発されている。しかし、照明分野に利用したとき、光学レンズ構造の設計によって、中心部の輝度が集中し過ぎて、照明の中心部を離れた場所との輝度が大きく異なっていて、輝度の不均衡問題がよく発生する。さらに、公知光学レンズの中、２次光学の原理を利用し、ＬＥＤ出射の光学性能を改変し、様々な使用場面において、最適な照明状態を提供することができる。展示または屋内照明用灯具の例として、その照明は、十分な輝度と集光効果を有し、使用者に良好、かつ心地良い照明範囲の提供が基本要求であるほか、ＬＥＤ光源は、互いに接続及び組合せることによって、展示または展示物などを読むための照明効果を影響する照明区域の中断現象を低減する必要がある。よって、ＬＥＤ光源の出射角度、発光角度及び照射光度の均一性について、いかに改善することは、当分野の業者が改善する重要な課題である。
【課題を解決するための手段】
【０００５】
よって、本考案人は、その完備性について鋭意に研究し、かつ当業種における長年の経験に基づいて、現在の展示用または照明用灯具が使用面で不十分な点に対して、ＬＥＤ光源を２次光学の原理を利用した光学レンズ構造によって、２回の回折を経て輝度を集中し、かつ照射区域が均一の照明効果を有する、中華民国特許公告第Ｍ３６６０８３号（特許文献１）、中華民国特許公告第Ｍ３６６０３３号（特許文献２）、中華民国特許公告第Ｍ３６６６５０号（特許文献３）、中華民国特許公告第Ｍ３６８７６７号（特許文献４）を出願登録されている。
【０００６】
本考案人は、その後の研究によって、もう一種の照明灯具の光学レンズを開発した。光学レンズ上に投射円錐体を設け、かつ投射円錐体の外曲面は、同心円を構成する複数の曲面点からなり、ＬＥＤ光源の発光角度、光度分布および照度分布の改変と調節ができる、光線の照射分布をより集中、かつ均一させ、使用者にもっと心地良い照明環境を提供できるほか、省エネ、カーボン低減の環境保護要求を満足できる。
【０００７】
前述課題について、本考案の一目的は、照明灯具の光学レンズを提供する。底面に投射円錐体を設け、２次光学の原理を利用し、ＬＥＤ光源の発光角度、光度分布および照度分布を改変及び調節することができる。これにより、ＬＥＤ光源の照射分布をより集中、かつ均一させ、使用者にもっと心地良い照明環境を提供できるほか、省エネ、カーボン低減の環境保護要求を満足できる。
【０００８】
本考案もう一つの目的は、組み立て便利の照明灯具の光学レンズ構造を提供する。高速にＬＥＤ光源に接続できる台座と、ＬＥＤ光源が発光するときの熱エネルギーを高速に放出できる放熱穴の設置により、使用時の安定性を確保できる。
【０００９】
前述目的を達成するため、本考案の照明灯具の光学レンズは、レンズ本体を有する。レンズ本体は、台座に組み立てた後、ＬＥＤ光源と結合し、照明灯具を形成する。レンズ本体は、レンズ本体の上面に設ける平面部と、レンズ本体の底部に設ける投射円錐体と、を有する。投射円錐体の中心部は、ＬＥＤ光源を収容するための収容空間を設けられ、投射円錐体の外曲面は、同心円を構成する複数の曲面点からなる。そのうち、収容空間を通過する円心開口部の開口面上の直線は、レンズ本体の中心線を合わせて、基準面を構成していて、かつ直線はＸ軸、中心線はＹ軸、ｄは単位座標の長さ、Ｘ軸とＹ軸との交差場所は、座標原点である。曲面点からＸ、Ｙ軸までの距離は、ゼロより大きいかまたは等しい、かつそれぞれ相対誤差ｐを有し、かつ−ｄ／２０≦ｐ≦ｄ／２０である。
【００１０】
以上の説明に引き続き、本考案はさらに、投射円錐体に異なる外曲面を形成する実施例が提供されている。実施例１において、曲面点はＸ−Ｙ座標の平面において、それぞれ（２．００，  ０  ）、（２．８２，  ０．８２）、（３．５４，  １．８４）、（４．０３，  ２．６３）、（４．６３，  ３．６９）と（５．２１，  ５．２０）の点を有し、かつ平面部は、収容空間に対応する位置は、穴部を開けていて、かつ穴部に透光性膠質が充填されている。
【００１１】
実施例２において、曲面点がＸ−Ｙ座標の平面において、それぞれ（２．１０，  ０）、（２．７０，  １．４２）、（３．３４，  ２．３７）、（３．９６，  ３．３５）、（４．５７，  ４．２３）と（５．１４，  ５．１３）の点を有し、収容空間はさらにレンズ部を有する。
【００１２】
実施例３において、曲面点がＸ−Ｙ座標の平面において、それぞれ（１．８０，  ０）、（２．４９，  １．３５）、（３．０９，  ２．２２）、（３．７０，  ３．０７）、（４．２９，  ４．００）と（５．０５，  ５．１８）の点を有し、収容空間はさらにレンズ部を有する。
【００１３】
実施例４において、曲面点がＸ−Ｙ座標の平面において、それぞれ（１．７８，  ０）、（２．４０，  ０．６９）、（３．１２，  １．６６）、（３．５８，  ２．３８）、（４．０４，  ３．１０）、（４．６５，  ４．１５）と（５．２５，  ５．２０）の点を有する。各実施例は、各曲面点がＸ−Ｙ座標の平面において、それぞれの座標を有するため、異なる外曲面を形成する。これらがＬＥＤ光源と結合した後、光線は、２次光学の回折原理によって、ＬＥＤ光源の発光角度、光度分布および照度分布を改変し調節することができる。
【００１４】
よって、本考案の光学レンズ構造を等比例に拡大または縮小しても、本考案の目的を達成するため主な技術特徴である。そのうち、単位座標の長さｄは１ｍｍであり、相対誤差ｐは−０．０５ｍｍ≦ｐ≦０．０５ｍｍである。光学レンズの組み立て便利を図るため、光学レンズは、レンズ本体の周縁に設ける締め付け部をさらに設けて、台座に対向し互いに嵌着しても良い。さらに、光源を投射した後の照明効果のより均一化を図るため、平面部において、回折構造をさらに設け、回折構造は、凹凸の直線状を並列して設けられ、光線が長い棒状の拡散効果を形成する。または回折構造を複数の六角形の回折粒子を並列して設け、光線に染み広げる効果を形成するか、あるいは平面部にサンダー仕上げを施し、光線の染み広げる効果を形成させる。
【００１５】
このほか、本考案の光学レンズとの組合せ便利を図るため、本考案人はさらに、台座構造を提供している。台座は、隔壁、光出射穴、取付穴と、１対の放熱穴と、を有する。隔壁は、台座の周縁に設けていて、かつ隔壁上に複数の係着部を有し、レンズ本体に係着されている。投射円錐体は、台座の内部に覆われている。光出射穴は、台座に設けていて、かつＬＥＤ光源の位置に対応されている。取付穴は、それぞれ光出射穴の両側に設けられている。１対の放熱穴は、それぞれ光出射穴の両側に設けられ、取付穴の位置と垂直していて、放熱穴の開口部は、隔壁に延在されている。
【考案の効果】
【００１６】
本考案の効果は、光学レンズに備える投射円錐体の外曲面の角度設計を利用し、収容空間の内部にＬＥＤ光源を取り付け、光線が２次光学の回折原理によって、ＬＥＤ光源のもとの発光角度、光度分布および照度分布を改変し調節することによって、光線がより集中し、かつ均一になり、心地良い照明環境を形成し、展示または展示物の用途に適すると共に、省エネ、カーボン低減の環境保護要求を満足できる。
【図面の簡単な説明】
【００１７】
【図１】本考案の実施例１の立体分解図である。
【図２】本考案の実施例１組立後の立体外観図である。
【図３】本考案の実施例１におけるＸ−Ｙ平面の側視図である。
【図４】本考案の実施例１の光線追跡態様図である。
【図５】本考案の実施例２の構造態様図である。
【図６】本考案の実施例２におけるＸ−Ｙ平面の側視図である。
【図７】本考案の実施例２の光線追跡態様図である。
【図８】本考案の実施例３の構造態様図である。
【図９】本考案の実施例３におけるＸ−Ｙ平面の側視図である。
【図１０】本考案の実施例３の光線追跡態様図である。
【図１１】本考案の実施例４の構造態様図である。
【図１２】本考案の実施例４におけるＸ−Ｙ平面の側視図である。
【図１３】本考案の実施例４の光線追跡態様図である。
【考案を実施するための形態】
【００１８】
審査官の方々が本考案の内容のさらなる理解を図るため、下記の説明に図式を組み合わせ、参考にしていただきたい。
【実施例】
【００１９】
図１ないし４、本考案の実施例１の立体分解図、組み立て後の立体外観図と、Ｘ−Ｙ平面部における側視図と光線追跡態様図を参照する。図示のように、本考案の照明灯具の光学レンズは、レンズ本体１を有し、台座２上に取り付けた後、ＬＥＤ光源３と結合して、照明灯具を形成する。
【００２０】
そのうち、レンズ本体１は、平面部１１と投射円錐体１２と、を有する。平面部１１は、レンズ本体１の上面に設けられている。図示のように、平面部１１は、滑らかの平面を形成する。投射円錐体１２は、レンズ本体１の底部に設けられている。投射円錐体１２の中心部は、ＬＥＤ光源３を収容するための収容空間１２１を有し、投射円錐体１２の外曲面は、同心円を構成する複数の曲面点１２２からなる。引き続き、図３に示すように、実施例１は、収容空間１２１に備える開口部の円心の開口面を通過する直線と、レンズ本体１を通過する中心線が基準面を構成していて、かつ直線はＸ軸、中心線はＹ軸、ｄは単位座標の長さ、Ｘ軸とＹ軸との交差場所は、座標の原点である。そのうち、単位座標の長さｄは１ｍｍ、相対誤差ｐは−０．０５ｍｍ≦ｐ≦０．０５ｍｍである。さらに、曲面点１２２からＸ、Ｙ軸までの距離は、ゼロより大きいかまたは等しい。かつそれぞれ相対誤差ｐを有し、かつ−ｄ／２０≦ｐ≦ｄ／２０である。そのうち、曲面点１２２はＸ−Ｙ座標の平面において、それぞれ（２．００，  ０）、（２．８２，  ０．８２）、（３．５４，  １．８４）、（４．０３，  ２．６３）、（４．６３，  ３．６９）と（５．２１，  ５．２０）の点を有し、下向きへ次第に縮小する円錐状の構造体を形成する。かつ平面部１１が収容空間１２１に対応する位置は、穴部１１１を開けていて、かつ穴部１１１に透光性膠質が充填されている。このほか、光学レンズはさらに、レンズ本体１の周縁に設けられ、台座２に対向して、互いに嵌着する締め付け部１３を設けても良い。
【００２１】
台座２は、隔壁２１、光出射穴２２、１対の取付穴２３と、１対の放熱穴２４と、を有する。隔壁２１は、台座２の周縁に繞設していて、かつ隔壁２１が開口部の付近位置は、レンズ本体１を係着する複数の係着部２１１を有し、投射円錐体１２を台座２の内部に覆う。光出射穴２２は、台座２上に設置していて、かつＬＥＤ光源３の位置に対応することによって、ＬＥＤ光源３のＬＥＤの一部が光出射穴２２の内部に貫き、光源は光出射穴２２を介して、収容空間１２１の内部に投射される。１対の取付穴２３は、ＬＥＤ光源３の取り付けるに備え、それぞれ光出射穴２２の両側に設けられている。１対の放熱穴２４は、それぞれ光出射穴２２の両側に設けていて、かつ取付穴２３の位置と垂直する。放熱穴２４の開口部は、隔壁２１に延在されている。
【００２２】
引き続き、図４を参照する。ＬＥＤ光源３が発光するとき、光線は、収容空間１２１に入射し、収容空間１２１に内設された反射区域によって、光線の１次回折を行い、回折された光線が投射円錐体１２に備える外曲面の内面に回折し、２次の回折が行われるため、ほとんどの光線は、平面部１１から外部に投射され、本の一部の光線は、平面部１１を経由し、逆方向に投射される。しかし、台座２によって遮られるため、照明の輝度と範囲は、影響されない。
【００２３】
引き続き、図５ないし７、本考案の実施例２の構造態様図、Ｘ−Ｙ平面部における側視図と、光線追跡態様図を参照する。図に示すように、実施例２の光学レンズは、同じくレンズ本体４を有し、かつレンズ本体４の両面は、それぞれ平面部４１と投射円錐体４２を有するほか、投射円錐体４２は、レンズ本体４の底部に設けられ、投射円錐体４２の中心は、収容空間４２１を有し、投射円錐体４２の外曲面は、同心円を構成する複数の曲面点４２２からなる。そのうち、曲面点４２２がＸ−Ｙ座標の平面において、それぞれ（２．１０，  ０）、（２．７０，  １．４２）、（３．３４，  ２．３７）、（３．９６，  ３．３５）、（４．５７，  ４．２３）と（５．１４，  ５．１３）の点を有し、下向きへ次第に縮小する円錐状の構造体を形成する。収容空間４２１はさらに、レンズ部４２１１を有する。平面部４１は、同じく投射構造体４１１を有し、投射構造体４１１は、複数の六角形の回折粒子を並列して形成し、光線は染み広げる効果を有する。このほか、光学レンズはさらに、レンズ本体４の周縁に、締め付け部４３を設けても良い。引き続き、図７、本考案の実施例２のレンズ本体４より形成する投射円錐体４２に示すように、光線が投射するときの角度と範囲は、実施例１に比べて、より拡散されていることが分かる。
【００２４】
さらに、図８ないし１０、本考案の実施例３の構造態様図、Ｘ−Ｙ平面部における側視図と、光線追跡態様図を参照する。図に示すように、実施例３の光学レンズは、同じくレンズ本体５を有し、かつレンズ本体５の両面は、それぞれ平面部５１と投射円錐体５２を有するほか、投射円錐体５２は、レンズ本体５の底部に設けられ、投射円錐体５２の中心は、収容空間５２１を有し、投射円錐体５２の外曲面は、同心円を構成する複数の曲面点５２２からなる。そのうち、曲面点５２２がＸ−Ｙ座標の平面において、それぞれ（１．８０，  ０）、（２．４９，  １．３５）、（３．０９，  ２．２２）、（３．７０，  ３．０７）、（４．２９，  ４．００）と（５．０５，  ５．１８）の点を有し、収容空間５２１はさらに、レンズ部５２１１を有し、下向きへ次第に縮小する円錐状の構造体を形成する。このほか、光学レンズはさらに、レンズ本体５の周縁に、締め付け部５３を設けても良い。さらに、平面部５１において、平面部５１にサンダー仕上げすれば、光線の染み広げる効果を形成することができる。引き続き図１０、本考案の実施例３のレンズ本体５より形成する投射円錐体５２に示すように、光線が投射するときの角度と範囲は、実施例１に比べて、より拡散されていることが分かる。
【００２５】
さらに、図１１ないし１３、本考案の実施例４の構造態様図、Ｘ−Ｙ平面部における側視図と、光線追跡態様図を参照する。図に示すように、実施例４の光学レンズは、同じくレンズ本体６を有し、かつレンズ本体６の両面は、それぞれ平面部６１と投射円錐体６２を有するほか、投射円錐体６２は、レンズ本体６の底部に設けられ、投射円錐体６２の中心は、収容空間６２１を有し、投射円錐体６２の外曲面は、同心円を構成する複数の曲面点６２２からなる。そのうち、曲面点６２２がＸ−Ｙ座標の平面において、それぞれ（１．７８，  ０）、（２．４０，  ０．６９）、（３．１２，  １．６６）、（３．５８，  ２．３８）、（４．０４，  ３．１０）、（４．６５，  ４．１５）と（５．２５，  ５．２０）の点を有し、下向きへ次第に縮小する円錐状の構造体を形成する。このほか、光学レンズはさらに、レンズ本体６の周縁に設けられ、台座６３に対向して、互いに嵌着する締め付け部６３を設けて、かつ締め付け部６３上に止め枕６３１を設けても良い。さらに、平面部６１上は、投射構造体６１１を有し、投射構造体６１１は、凹凸の直線状を並列して設けられ、光線が長い棒状の拡散効果を形成する。引き続き、図１３、本考案の実施例４のレンズ本体６より形成する投射円錐体６２に示すように、光線が投射するときの角度と範囲は、実施例１に比べて、より拡散されていることが分かる。
【００２６】
以上各実施例において、各曲面点１１２、４２２、５２２、６２２がＸ−Ｙ座標の平面において、それぞれの座標を有するため、異なる外曲面を形成し、ＬＥＤ光源３と結合した後、光線が２次光学の回折原理によって、ＬＥＤ光源３の発光角度、光度分布および照度分布を改変し調節することができる。さらに、各実施例において、レンズ本体１、４、５、６の設計を等比例に拡大または縮小しても、同じの目的を達成することができる。
【符号の説明】
【００２７】
１        レンズ本体
１１      平面部
１１１    穴部
１１２    透光性膠質
１２      投射円錐体
１２１    収容空間
１２２    曲面点
１３      締め付け部
２        台座
２１      隔壁
２１１    係着部
２２      光出射穴
２３      取付穴
２４      放熱穴
３        ＬＥＤ光源
［実施例２］
４        レンズ本体
４１      平面部
４２      投射円錐体
４２１    収容空間
４２１１  レンズ部
４２２    曲面点
４３      締め付け部
［実施例３］
５        レンズ本体
５１      平面部
５２      投射円錐体
５２１    収容空間
５２１１  レンズ部
５２２    曲面点
５３      締め付け部
［実施例４］
６        レンズ本体
６１      平面部
６２      投射円錐体
６２１    収容空間
６２２    曲面点
６３      締め付け部
６３１    止め枕
【図１】
0003172217.tif 000003
【図２】
0003172217.tif 000004
【図３】
0003172217.tif 000005
【図４】
0003172217.tif 000006
【図５】
0003172217.tif 000007
【図６】
0003172217.tif 000008
【図７】
0003172217.tif 000009
【図８】
0003172217.tif 000010
【図９】
0003172217.tif 000011
【図１０】
0003172217.tif 000012
【図１１】
0003172217.tif 000013
【図１２】
0003172217.tif 000014
【図１３】
0003172217.tif 000015